(57)【要約】    【課題】  オイリー感と柔らかで滑らかな感触を併せ持つ鱗片状複合粒子を提供する。    【解決手段】  鱗片状複合粒子は、樹脂で被覆された鱗片状無機粒子の表面に、平均粒子径が０．１〜３．０μｍの範囲にある無機酸化物微粒子が単層に付着したものである。鱗片状無機粒子としては、マイカ、タルク、セリサイト等の天然鉱物、合成マイカ、合成セリサイト、板状酸化チタンなどが挙げられ、樹脂としては、ポリウレタン、スチレン−ブタジエン共重合体、アクリノニトリル−ブタジエン共重合体、シリコーンゴム、天然ゴム、ナイロン系エラストマー等のゴム状弾性を有する樹脂を挙げることができる。【選択図】        なし【特許請求の範囲】
【請求項１】
樹脂で被覆された鱗片状無機粒子の表面に、平均粒子径が０．１〜３．０μｍの範囲にある球状微粒子が付着してなる鱗片状複合粒子。
【請求項２】
前記球状微粒子が無機酸化物微粒子であり、該微粒子が単層に付着した請求項１記載の鱗片状複合粒子。
【請求項３】
前記球状微粒子の付着量が、球状微粒子／樹脂被覆鱗片状無機粒子の重量比で１／９９〜６０／４０の範囲にある請求項１または２に記載の鱗片状複合粒子。
【請求項４】
前記樹脂被覆鱗片状無機粒子の樹脂被覆量が、樹脂／鱗片状無機粒子の重量比として０．１〜２０．０の範囲にある請求項１〜３のいずれかに記載の鱗片状複合粒子。
【請求項５】
前記樹脂被覆鱗片状無機粒子の平均粒子径（Ｄf）が１〜５０μｍの範囲にあり、平均厚み（Ｔf）が０．０１〜１μｍの範囲にあり、平均粒子径（Ｄf）と平均厚み（Ｔf）との比（Ｄf／Ｔf）が１０〜３００の範囲にある請求項１〜４のいずれかに記載の鱗片状複合粒子。
【請求項６】
前記樹脂の引張試験時の１００％モジュラスが５０〜３０００Ｎ／ｃｍ2の範囲にある請求項１〜５のいずれかに記載の鱗片状複合粒子。
【請求項７】
前記樹脂がポリウレタン、スチレン−ブタジエン共重合体、アクリロニトリル−ブタジエン共重合体、シリコーン系エラストマー及びポリオレフィン系エラストマーからなる群から選ばれる１種又は２種以上である請求項１〜６のいずれかに記載の鱗片状複合粒子。
【請求項８】
請求項１〜７のいずれかに記載の鱗片状複合粒子を配合してなる化粧料。
【発明の詳細な説明】
【技術分野】
【０００１】
本発明は新規な鱗片状複合粒子およびこれを配合した化粧料に関するものである。
【背景技術】
【０００２】
従来より、マイカ、タルク、セリサイト等の鱗片状無機粒子はパウダーファンデーション等のメークアップ用化粧料に配合されている。この鱗片状無機粒子の配合効果は皮膚上での延展性の良さと、着色顔料の皮膚上での分散性向上、さらに皮膚への付着力が高いことであり、メーキャップ用化粧料には欠かせない性質である。
これらの鱗片状無機粒子の殆どは、シリカ、アルミナ、酸化マグネシウム等の無機酸化物からなるために、その感触が硬質であることから、近年では薄片化により、軽さ、伸びの良さ、滑らかさ等の感触面での効果が改良されて来ている。
【０００３】
特公平７−１０３３２４号公報（特許文献１）によれば、マイカ等の小薄片状基質に微小の球状粒子を固定することなく含有させることにより、小薄片状基質同士が互いに凝集しても、元の個々の小薄片状基質に容易に分離あるいは分散させ得るというソフトな小薄片状基質が公知である。
また、本発明者らは、球状シリカ粒子で被覆された薄片状微粉末において、過度の光沢を抑制すると共にソフトフォーカス効果を発揮し、使用時のすべり性や感触が一段と向上されることを提案している（特許第２７８４２６１号公報：特許文献２）。
これらの粉体は非常に高いすべり性を有するものの、皮膚上で何度も延ばすと球状粒子が小薄片状基質または薄片状微粉末から脱落し、ボールベアリング効果がなくなることから、そのすべり性の持続性に難点があった。また、これらの微粉末を化粧料に配合して皮膚上に塗布しても、油分を触った時に感じられるぬるぬるとした油分感（所謂、オイリー感）は得られなかった。
【０００４】
さらに、本発明者らは、鱗片状無機粒子に引張試験時の１００％モジュラスが５０〜３０００Ｎ／ｃｍ2の範囲にある樹脂を被覆することで、柔らかい感触、皮膚の動きに追随できるための皮膚への付着性、さらには過度の光沢を抑制する効果を有する鱗片状無機粒子を提案した（特開２００２−６９３２９号公報：特許文献３）。
しかしながら、この鱗片状無機粒子は被覆された樹脂の性質により、嵩張り感があったり、皮膚に塗布する際に均一にかつ滑らかに延びないという問題があり、やはりオイリーな感触を得ることはできなかった。
【０００５】
【特許文献１】特公平７−１０３３２４号公報
【特許文献２】特許第２７８４２６１号公報
【特許文献３】特開２００２−６９３２９号公報
【発明の開示】
【発明が解決しようとする課題】
【０００６】
本発明は上記課題を解決するものであり、ぬるぬるとしたオイリーなタッチ（所謂、オイリー感）があり、柔らかで滑らかな感触、かつ良好な塗布性、延展性等を併せ持つ鱗片状複合粒子を提供することを目的としている。また、該鱗片状複合粒子を配合することにより、皮膚へ塗布するときの感触もオイリー感が得られ、滑らかで柔らかく、皮膚に塗布した後も素肌を触っているのと同等な、しっとりとした柔らかいタッチが得られる化粧料を提供することを目的としている。
【課題を解決するための手段】
【０００７】
本発明の鱗片状複合粒子は、樹脂で被覆された鱗片状無機粒子の表面に、平均粒子径が０．１〜３．０μｍの範囲にある球状微粒子が付着してなるものである。
前記球状微粒子は無機酸化物微粒子であり、該微粒子が単層に付着したものであることが好ましい。
前記球状微粒子の付着量が、球状微粒子／樹脂被覆鱗片状無機粒子の重量比で１／９９〜６０／４０の範囲にあることが好ましい。
前記樹脂被覆鱗片状無機粒子の樹脂被覆量が、樹脂／鱗片状無機粒子の重量比として０．１〜２０．０の範囲にあることが好ましい。
前記樹脂被覆鱗片状無機粒子の平均粒子径（Ｄf）が１〜５０μｍの範囲にあり、平均厚み（Ｔf）が０．０１〜１μｍの範囲にあり、平均粒子径（Ｄf）と平均厚み（Ｔf）との比（Ｄf／Ｔf）が１０〜３００の範囲にあることが好ましい。
前記樹脂の引張試験時の１００％モジュラスが５０〜３０００Ｎ／ｃｍ2の範囲にあることが好ましい。
前記樹脂がポリウレタン、スチレン−ブタジエン共重合体、アクリロニトリル−ブタジエン共重合体、シリコーン系エラストマー及びポリオレフィン系エラストマーからなる群から選ばれる１種又は２種以上であることが好ましい。
本発明の化粧料は、前記いずれかの鱗片状複合粒子を配合してなるものである。
【発明の効果】
【０００８】
本発明の鱗片状複合粒子は、皮膚に塗布した際にぬるぬるとした独特なオイリーな感触（所謂、オイリー感）が得られることに加えて、柔らかで滑らかな感触を示す。また、公知の化粧料配合用微粉末に比べて、その滑らかさがより長期間持続し、化粧料に配合して皮膚に塗布した後も滑らかなすべり性が維持されるものである。
【発明を実施するための最良の形態】
【０００９】
以下、本発明の好適な実施形態を説明する。
鱗片状複合粒子
本発明の鱗片状複合粒子は、樹脂で被覆された鱗片状無機粒子の表面に、球状微粒子が付着してなるものである。
［鱗片状無機粒子］
本発明に用いる鱗片状無機粒子としては、マイカ、タルク、セリサイト、スメクタイト等の天然鉱物、合成マイカ、合成セリサイト、板状酸化チタン、板状シリカ、板状アルミニウム、ボロンナイトライド、硫酸バリウム、板状チタニア・シリカ複合物、ビスマスオキシクロライドなどが挙げられる。さらにこれら鱗片状無機粒子を基材として酸化チタン、酸化アルミニウム、酸化鉄、シリカ、酸化セリウム、酸化ジルコニウム等の無機酸化物の１種又は２種以上を被覆した鱗片状無機粒子を用いることもできる。また、有機染料および／または顔料を担持した鱗片状無機粒子を用いることもできる。さらに、このような各種鱗片状無機粒子は１種で使用しても良いし、２種以上混合して使用することもできる。
【００１０】
このような鱗片状無機粒子の平均粒子径は概ね１〜５０μｍの範囲にあることが好ましく、さらには５〜３０μｍの範囲にあることが好ましい。また鱗片状無機粒子の厚みは０．０１〜１μｍにあることが好ましく、更に好ましくは０．１〜０．５μｍの範囲である。
鱗片状無機粒子の平均粒子径が１μｍ未満の場合は、鱗片状無機粒子の延展性の良さ、分散性の向上等の特徴が損なわれることがある。鱗片状無機粒子の平均粒子径が５０μｍを超えると、過度の光沢のよるギラツキ感を伴うようになるため好ましくない。
なお、本発明において、鱗片状無機粒子および後述する樹脂被覆鱗片状無機粒子、鱗片状複合粒子の平均粒子径とは、鱗片状粒子の平面を対向する方向から見た場合の長径と短径の平均値をいい、鱗片状粒子の走査型電子顕微鏡写真（ＳＥＭ）を撮影し、１００個の鱗片状粒子について長径と短径とを測定することによって求めることができる。
【００１１】
［樹脂］
このような樹脂としては、鱗片状無機粒子に被覆することができれば特に制限はなく、従来公知の樹脂を用いることができる。
なかでも、ポリウレタン、スチレン−ブタジエン共重合体、アクリノニトリル−ブタジエン共重合体、シリコーンゴム、天然ゴム、ナイロン系エラストマー、ポリエステル系エラストマー、ポリオレフィン系エラストマー等のゴム状弾性を有する樹脂は好適に用いることができる。
さらに、これらの樹脂はエマルジョンを形成するためにそれ自体にカルボン酸、スルフォン酸、アミンおよびその誘導体などの官能基を有してもよいし、また架橋を形成するための任意の基、例えばエポキシ基、カルボジイミド基、シラノール基などを有していてもよい。
通常、これらの樹脂は静電気の発生により正電荷が帯電する。一方、後述する球状微粒子がシリカ等の無機酸化物からなる場合には該微粒子は負に帯電するので、両者の付着が容易で、且つ皮膚に塗布する際のずり応力により基材となる樹脂被覆鱗片状無機粒子から球状微粒子が脱落しにくく、ボールベアリング効果によるすべり性が長期間持続する。
【００１２】
前記樹脂は、引張試験時の１００％モジュラスが５０〜３０００Ｎ／ｃｍ2、さらには５０〜１５００Ｎ／ｃｍ2の範囲にあることが好ましい。樹脂の１００％モジュラスが５０Ｎ／ｃｍ2未満の場合には、得られる鱗片状複合粒子の粘着性が高くなり、粒子同士のブロッキングを起こして凝集体となることがあるので、延展性等感触面で好ましくない。樹脂の１００％モジュラスが３０００Ｎ／ｃｍ2を超えると、樹脂の柔軟性が低くなり、オイリーな感触を付与する効果が不十分となる。即ち、本発明の鱗片状複合粒子において発現するオイリー感は、樹脂層の有する柔軟性とその表面上で起こる球状微粒子とのボールベアリング効果とが合わさることにより、人体で官能上感じられるぬるぬるとした感触が発現するものである。
【００１３】
引張試験時の１００％モジュラスの測定は、次の方法による。
まず、樹脂がエマルジョンである場合にはそのまま、そうでない場合には最適な有機溶剤を使用して溶液とする。ドクターブレード法により樹脂エマルジョン、または溶液を塗布し、乾燥して厚さ３０μｍのフィルムとし、これをＨ字型に射抜いて試験用フィルムを成型する。Ｈ字型試験用フィルムの左右両端部を引張速度２０ｍｍ／分の速度で引っ張り、伸び（ｃｍ）と応力（負荷荷重（Ｎ）／断面積（ｃｍ2））の関係を求める。「１００％モジュラス」はフィルム試験長が元の長さの２倍になったときの応力（Ｎ／ｃｍ2）で定義される。
【００１４】
樹脂被覆鱗片状無機粒子の樹脂被覆量は、樹脂／鱗片状無機粒子の重量比として０．１／９９．９〜２０／８０の範囲であることが好ましい。さらに好ましくは０．５／９９．５〜５／９５の範囲である。
樹脂被覆量が樹脂／鱗片状無機粒子の重量比で０．１／９９．９未満の場合は、樹脂被覆量が少なすぎて樹脂被覆の効果、即ち、柔らかな感触を充分に付与することができない場合がある。樹脂被覆量が重量比で２０／８０を超えると樹脂の種類にもよるが粒子同士がブロッキングを起こしやすくなるため好ましくない。
前記樹脂は鱗片状無機粒子表面に均一に被覆されていることが好ましい。被覆状態が均一でないと柔らかい感触を付与する効果が不十分となり、オイリーな感触が損なわれ延展性も著しく低下する。
【００１５】
［樹脂被覆鱗片状無機粒子］
前記樹脂で被覆された鱗片状無機粒子の平均粒子径（Ｄf）は１〜５０μｍの範囲にあり、平均厚み（Ｔf）は０．０１〜１μｍの範囲にあり、平均粒子径（Ｄf）と平均厚み（Ｔf）との比（Ｄf／Ｔf）は１０〜３００の範囲にあることが好ましい。樹脂被覆鱗片状無機粒子の平均粒子径（Ｄf）が１μｍ未満の場合は、鱗片状無機粒子の延展性の良さ、分散性の向上等の特徴が損なわれることがあり、平均粒子径（Ｄf）が５０μｍを超えると、過度の光沢のよるギラツキ感を伴うようになるため好ましくない。また、平均厚み（Ｔf）が０．０１μｍ未満の場合、化粧料を調製する際の分散工程によって粒子が破壊されやすく、平均厚み（Ｔf）が１μｍを超えると鱗片状粒子の特徴である延展性の良さと皮膚への付着力が低下するので好ましくない。
【００１６】
［樹脂被覆鱗片状無機粒子の製造方法］
本発明の樹脂被覆鱗片状無機粒子の製造方法としては、鱗片状無機粒子の表面に樹脂を可及的均一に被覆できれば特に制限がなく従来公知の方法を採用することができる。例えば、以下の方法は好適に採用することができる。
（１）樹脂エマルジョンやラテックスに鱗片状無機粒子を分散させ、分散液のｐＨ調整により樹脂組成物粒子の分散安定性を低下させ、樹脂組成物粒子を鱗片状無機粒子表面に析出・積層させ、次いで乾燥する方法。このときのｐＨ範囲は使用する樹脂エマルジョンやラテックスの種類によって異なるが、樹脂組成物粒子の分散安定性を低下させることができればよい。なお、樹脂エマルジョンやラテックスの代わりに、樹脂を微細化した粉末を水やアルコールなどに分散させた分散液であってもよく、水、トルエン、メチルエチルケトン、キシレンなどの溶剤に溶解した溶液として使用することもできる。このような樹脂は、水に分散した自己乳化方或いは乳化剤を使用した強制乳化型エマルジョン、或いはラテックスとして使用できるし、微細化した粉末として、さらには溶剤に溶解した溶液として使用することもできる。
【００１７】
（２）樹脂エマルジョンやラテックスに鱗片状無機粒子を分散させ、噴霧乾燥等により乾燥する方法。
（３）樹脂モノマー溶液あるいは分散液に鱗片状無機粒子を分散させ、樹脂モノマーを重合させて鱗片状無機粒子上に樹脂を被覆する方法。
（４）微細化した樹脂粉末と鱗片状無機粒子を混合し、物理的な力を加え、その際の摩擦熱により樹脂組成物を軟化、溶融させて鱗片状無機粒子上に被覆する方法。このとき樹脂を混合、融着させる装置としては、ホソカワミクロン（株）製のメカノフュージョンシステムなどが好適である。
上記のようにして鱗片状無機粒子に樹脂を被覆した後、必要に応じてこれを加熱処理し、鱗片状無機粒子に樹脂を融着させて用いることもできる。
【００１８】
［球状微粒子］
本発明に用いる球状微粒子としては、シリカ、酸化チタン、アルミナ、酸化ジルコニウム、酸化鉄、酸化亜鉛、酸化セリウムの一種又は二種以上からなる無機酸化物微粒子あるいは複合無機酸化物微粒子は好適に用いることができる。このとき、シリカ、酸化チタン、アルミナ、酸化ジルコニウム等は球状微粒子が得易く、これら粒子を付着して得た鱗片状複合粒子を配合した化粧料は滑らかな感触に優れている。また、シリカ、酸化チタン、アルミナ、酸化ジルコニウム等に、着色性に優れた酸化鉄、紫外線遮蔽性に優れた酸化セリウムを複合した粒子等も好適に用いることができる。さらに、これら球状微粒子を混合して用いることもできる。
さらに、前記無機微粒子の他にナイロン、シリコン樹脂、ポリメチルメタクリレート、ポリスチレン等の有機系球状微粒子を使用することも可能である。
【００１９】
これらの球状微粒子の平均粒子径は０．１〜３．０μｍ、さらには０．２〜１．５μｍの範囲にあることが好ましい。
球状微粒子の平均粒子径が０．１μｍ未満ではオイリーな感触は得られず、滑らかさも劣る。３μｍを超えると樹脂被覆鱗片状無機粒子に付着させることが困難で、できたとしてもオイリーで滑らかな感触や延展性が不充分となることがある。
さらに、球状微粒子の粒子径分布は均一であることが好ましい。粒子径分布が狭いほどベアリング効果が高く、オイリーで滑らかな感触が得られ、粒子径分布が広くなるほどオイリー感は低減する。
【００２０】
これらの球状微粒子の付着量は、球状微粒子の大きさによっても異なるが、球状微粒子／樹脂被覆鱗片状無機粒子の重量比で、1／９９〜６０／４０の範囲が好適であり、さらに好ましい範囲は５／９５〜５０／５０である。球状微粒子の付着量は、球状微粒子の粒子径に合わせて選択することができ、樹脂被覆鱗片状無機粒子の表面を均一に単層で被覆する量とすることが好ましい。それより過剰に付着させるとオイリー感が損なわれることがある。
例えば、平均粒子径１３μｍ、厚み０．２５μｍのマイカにポリウレタンを２重量％被覆したものに対して平均粒子径０．６μｍの球状シリカを付着させる場合、１／９９未満ではオイリー感を付与する効果が不十分で、概ね球状微粒子の単層が形成される２０／８０〜４０／６０で非常にオイリーで滑らかな感触が得られる。一方、この重量比が５０／５０を超えるとオイリーで滑らかな感触は低減し、延展性が悪化する傾向となる。
同様に、ポリウレタン被覆マイカに対して平均粒子径１．０μｍの球状シリカを付着させた場合、重量比が１／９９未満ではオイリー感の付与効果がほとんどなく、３０／７０〜５０／５０で非常にオイリーな感触が得られ、６０／４０を超えると延展性の低下が見られる。
【００２１】
［球状粒子の付着方法］
樹脂被覆鱗片状無機粒子に球状微粒子を付着させる方法としては、滑らかな感触で、塗布性、延展性等に優れた鱗片状複合粒子が得られれば特に制限はなく、例えば次の方法を採用することができる。
（１）水、アルコール或いはそれらの混合分散媒に樹脂被覆鱗片状無機粒子と球状微粒子とを分散させ、この分散液を熱風気流中に噴霧して乾燥する方法。
このとき、分散液の濃度は樹脂被覆鱗片状無機粒子と球状粒子との合計の濃度が固形分として概ね５〜５０重量％、さらには１０〜３０重量％の範囲にあることが好ましい。また、熱風の温度は概ね６０〜１３０℃である。
【００２２】
（２）樹脂被覆鱗片状無機粒子と球状微粒子とを混合装置の容器に入れ、容器を回転するなどして物理的な力を加え、粒子同士の摩擦により静電気を発生させ、樹脂被覆鱗片状無機粒子に球状微粒子を付着させる方法。この時の装置としては前記したホソカワミクロン（株）製のメカノフュージョンシステムなどが好適である。
さらに、上記のようにして樹脂被覆鱗片状無機粒子に球状微粒子を付着させた後、得られた鱗片状複合粒子が凝集などしている場合は、必要に応じて解砕して用いることができる。
【００２３】
化粧料
つぎに、本発明の化粧料について説明する。
本発明の化粧料は、前記した鱗片状複合粒子が後述する化粧料に配合される各種成分と共に配合されている。化粧料中の鱗片状複合粒子の配合量は１〜９０重量％の範囲にあることが好ましい。さらに好ましくは３〜４０重量％の範囲である。配合量が１重量％未満では、柔らかく滑らかな感触が得られず、一方９０重量％を越すと本来化粧料に求められる着色・装飾性、油分感等が失われる。
【００２４】
本発明の化粧料に配合される各種成分としては、例えば、オリーブ油、ナタネ油、牛脂等の油脂類、ホホバ油、カルナバロウ、キェンデリラロウ、ミツロウ等のロウ類、パラフィン、スクワラン、合成および植物性スクワラン、α−オレフィンオリゴマー、マイクロクリスタリンワックス等の炭化水素類、ステアリン酸、ミリスチン酸、オレイン酸、α−ヒドロキシ酸、リノール酸、リノレイン酸、乳酸等の脂肪酸類、イソステアリルアルコール、オクチドデカノール、ラウリルアルコール、エタノール、イソプロパノール、ブチルアルコール、ミリスチルアルコール、セタノール、ステアリルアルコール、ベヘニルアルコール等のアルコール類、アルキルグリセリルエーテル類、ミリスチン酸イソプロピル、パルチミン酸イソプロピル、ステアリン酸エチル、オレイン酸エチル、ラウリル酸セチル、オレイン酸デシル等のエステル類、エチレングリコール、トリエチレングリコール、ポリエチレングリコール、プロピレングリコール、ブチレングリコール、グリセリン、ジグリセリン等の多価アルコール類、ソルビトール、ブドウ糖、ショ糖、トレハロース、プルラン等の糖類、アルブチン、ビタミンＣ、アスコルビン酸ナトリウム等のアスコルビン酸誘導体、カロチノイド、フラボノイド、タンニン、リグナン、サポニン、レチノイン酸及びレチノイン酸構造類縁体、メチルポリシロキサン、メチルハイドロジェンポリシロキサン、メチルフェニルシリコーン油、デカメチルシクロペンタシロキサン等の環状ジメチルシリコーン油、各種変性シリコーン油等のシリコーン油、パーフルオロポリエーテル等のフッ素油、アラビアガム、カラギーナン、寒天、キサンタンガム、ゼラチン、アルギン酸、グアーガム、アルブミン、プルラン、カルボキシビニルポリマー、セルロース及びその誘導体、ポリアクリル酸アミド、ポリアクリル酸ナトリウム、ポリビニルアルコール等の高分子、アニオン、カチオン、ノニオン系界面活性剤類、動植物抽出物、アミノ酸及びペプチド類、ビタミン類、紫外線防御剤、殺菌・防腐剤、酸化防止剤、変性又は未変性の粘土鉱物、酢酸ブチル、アセトン、トルエンなどの溶剤、各種粒子径、粒子径分布および粒子形状を有する酸化チタン、酸化亜鉛、酸化アルミニウム、水酸化アルミニウム、ベンガラ、黄酸化鉄、黒酸化鉄、酸化セリウム、酸化ジルコニウム、シリカ等を一種また２種以上含有する無機酸化物および／または水酸化物の粒子、各種粒子径、粒子径分布および粒子形状を有するポリアクリル酸メチル、ナイロン、シリコーン樹脂、シリコーンゴム、ポリエチレン、ポリエステル、ポリウレタン等の有機粉末、群青、紺青、マンガンバイオレット、水酸化クロム、タール色素、天然色素等の色材、各種色調の雲母チタン、マイカ、タルク、セリサイト、窒化ホウ素、硫酸バリウム、合成マイカ、合成セリサイト、板状酸化チタン、板状シリカ、板状酸化アルミニウムおよびそれらと無機化合物または有機化合物との各種複合物、水、香料など少なくとも１種以上を含んでいる。
【００２５】
配合される各種成分としてはこれらの成分に限定されるものではなく、化粧品原料基準新訂版（発行：薬事日報社）および化粧品種別配合成分規格（監修：厚生省薬務局審査課、発行：薬事日報社）に収載された原料全てを含むことができる。これらの成分の内、粉末形態のものは、そのまま用いても良いし、シリコン、フッ素、金属石鹸、ラウロイルリシン、各種油剤等により表面処理をして、あるいは複合化して、さらには分散体として使用することもできる。
本発明に係る化粧料は常法により製造することができ、パウダー状、液状、クリーム状などの各種形態で使用され、具体的にはパウダーファンデーション、アイシャドー、ルースパウダー、リキッドファンデーション、クリーム、乳液、ローション、口紅などを包含する。
なお、化粧料を製造する際、鱗片状複合粒子は必要に応じてシリコン、フッ素、金属石鹸、ラウロイルリシン、各種油剤等による表面処理をして使用することができる。
続いて、以下に示す実施例により、本発明をさらに具体的に説明する。
【実施例１】
【００２６】
樹脂として、無黄変型ポリウレタン樹脂の水分散液（三井武田ケミカル（株）製：ガラス転移温度６５℃、引張試験時の１００％モジュラスが５００Ｎ／ｃｍ2、樹脂粒子径０．０７μｍ、自己乳化型、固形分濃度３０重量％）１００ｇと、鱗片状無機粒子として平均粒子径１３μｍ、厚み０．２５μｍのマイカ１４７０ｇを純水５９３０ｇに混合して、前記ポリウレタン樹脂とマイカ重量比が２／９８、固形分濃度２０重量％の混合液を調製した。この混合液を、温度７０℃、湿度５％の乾燥雰囲気に噴霧して乾燥し、更に８０℃で２４時間加熱処理して樹脂被覆鱗片状無機粒子（Ａ）を得た。この樹脂被覆鱗片状無機粒子（Ａ）を皮膚に塗布したところ、マイカのみを皮膚に塗布した場合に比べて柔らかい感触で皮膚への密着性も高く、光沢も抑制されていたが、少し嵩張った感じで塗布する際の滑らかさが不足し、均一な塗布ができにくかった。
【００２７】
樹脂被覆鱗片状無機粒子（Ａ）４００ｇを純水１６００ｇに加えて混合後、平均粒子径０．５５μｍの球状シリカ分散液（触媒化成工業（株）製：スフェリカスラリー５５０、固形分濃度１８％）２４４ｇを混合した。このときの球状シリカと樹脂被覆鱗片状無機粒子（Ａ）の重量比は１０／９０であった。この分散液を温度７０℃、湿度５％の乾燥雰囲気に噴霧して乾燥し、１０℃に冷却した容器に回収して球状シリカ微粒子が付着した鱗片状複合粒子（Ａ−１）を得た。
鱗片状複合粒子（Ａ−１）を皮膚に塗布したところオイリーな感触で、滑らかで均一な塗布が可能であり、塗布した後のタッチもオイリー感、すべり性を維持していた。
【実施例２】
【００２８】
実施例１と同様にして得た樹脂被覆鱗片状無機粒子（Ａ）３００ｇを純水１２００ｇに加えて混合後、平均粒子径０．５５μｍの球状シリカ分散液（触媒化成工業（株）製：スフェリカスラリー５５０、固形分濃度１８％）１１１１ｇを混合した。このときの球状シリカと樹脂被覆鱗片状無機粒子（Ａ）の重量比は４０／６０であった。
この分散液を実施例１と同様にして噴霧乾燥し、球状シリカ微粒子が付着した鱗片状複合粒子（Ａ−２）を得た。
鱗片状複合粒子（Ａ−２）を皮膚に塗布したところ非常にオイリーな感触で、塗布した後のタッチはオイリー感、すべり性が感じられた。
【実施例３】
【００２９】
実施例１と同様にして得た樹脂被覆鱗片状無機粒子（Ａ）３００ｇを純水１２００ｇに加えて混合後、平均粒子径０．３μｍ球状シリカ分散液（触媒化成工業(株)製：スフェリカスラリー３００、固形分濃度２０％）３７５ｇを混合した。このときの球状シリカと樹脂被覆鱗片状無機粒子（Ａ）の重量比は２０／８０であった。
この分散液を実施例１と同様にして噴霧乾燥し、球状シリカ微粒子が付着した鱗片状複合粒子（Ａ−３）を得た。
この鱗片状複合粒子（Ａ−３）を皮膚に塗布したところオイリー且つ滑らかで均一な塗布性であり、塗布した後のタッチはオイリー感、すべり性が感じられた。
【実施例４】
【００３０】
樹脂として、スチレン・ブタジエン系樹脂ラテックス（日本ゼオン（株）製：ガラス転移温度１２℃、引張試験時の１００％モジュラスが６２０Ｎ／ｃｍ2、樹脂粒子径０．１５μｍ、固形分濃度４９重量％）１００ｇと、鱗片状無機粒子として平均粒子径１２μｍ、厚み０．３１μｍのタルク１１７６ｇを純水２８０７ｇに混合して、スチレン・ブタジエン樹脂とタルクの重量比が４／９６、固形分濃度３０重量％の混合液を調製した。この調合液を、温度７０℃、湿度５％の乾燥雰囲気に噴霧して乾燥し、１０℃に冷却した容器に回収して樹脂被覆鱗片状無機粒子（Ｂ）を得た。この樹脂被覆鱗片状無機粒子（Ｂ）を皮膚に塗布したところ、タルクのみを被覆した場合に比べ、柔らかい感触で皮膚への密着性も高かった。
【００３１】
樹脂被覆鱗片状無機粒子（Ｂ）３００ｇを純水１２００ｇに加えて混合後、これに、平均粒子径１．２μｍの球状シリカ・酸化チタン複合粒子（触媒化成工業（株）製：シリカと酸化チタンの重量比は８５／１５）２００ｇを純水１０００ｇに加えて混合し、水酸化ナトリウムの希薄水溶液を加えてｐＨ９．０に調整した分散液を徐々に加えたあと１時間混合を続けた。このときの球状シリカ・酸化チタン複合粒子と樹脂被覆鱗片状無機粒子（Ｂ）の重量比は４０／６０であった。
ついで、濾過、乾燥し、解砕して、球状シリカ・酸化チタン複合微粒子が付着した鱗片状複合粒子（Ｂ−１）を得た。
この鱗片状複合粒子（Ｂ−１）を皮膚に塗布したところ、オイリーな感触で滑らかで均一な塗布性もあり、塗布した後のタッチはオイリー感、すべり性が感じられた。
【実施例５】
【００３２】
樹脂として、アクリロニトリル・ブタジエン系樹脂ラテックス（日本ゼオン(株)製：ガラス転移温度−２１℃、引張試験時の１００％モジュラスが２１０Ｎ／ｃｍ2、樹脂粒子径０．０５μｍ、固形分濃度４１％）１００ｇと鱗片状無機粒子として平均粒子径１８μｍ、厚み０．３８μｍの合成マイカ１２５４ｇを純水５２４６ｇに混合して、アクリロニトリル・ブタジエン樹脂と合成マイカとの重量比が５／９５、固形分濃度２０重量％の混合液を調製した。この混合液を温度７０℃、湿度５％の乾燥雰囲気に噴霧して乾燥し、１０℃に冷却した容器に回収して樹脂被覆鱗片状無機粒子（Ｃ）を得た。この樹脂被覆鱗片状無機粒子（Ｃ）を皮膚に塗布したところ、合成マイカのみを皮膚に塗布した場合に比べ、柔らかい感触で皮膚への密着性も高く、光沢は抑制されていた。
【００３３】
樹脂被覆鱗片状無機粒子（Ｃ）３００ｇを純水１２００ｇに加えて混合し、平均粒子径０．８μｍの球状酸化アルミニウム（（株）アドマテックス製：ＡＯ−５０２）３３ｇを純水１６５ｇに加えて混合した。このときの球状酸化アルミニウムと樹脂被覆鱗片状無機粒子（Ｃ）の重量比は１０／９０であった。
この分散液を実施例１と同様にして噴霧乾燥し、球状酸化アルミニウム微粒子が付着した鱗片状複合粒子（Ｃ−１）を得た。
この鱗片状複合粒子（Ｃ−１）を皮膚に塗布したところ滑らかで、オイリー感もあり、塗布した後のタッチもオイリー感が残っていた。
【比較例１】
【００３４】
実施例１と同様にして得た樹脂被覆鱗片状無機粒子（Ａ）３００ｇを純水１２００ｇに加えて混合後、平均粒子径０．０８μｍの球状シリカ分散液（触媒化成工業（株）製：カタロイドＳＩ−８０Ｐ、固形分濃度４０％）１８８ｇを混合した。このときの球状シリカと樹脂被覆鱗片状無機粒子（Ａ）の重量比は２０／８０であった。
この分散液を実施例１と同様にして噴霧乾燥し鱗片状複合粒子（Ａ−４）を得た。この鱗片状複合粒子（Ａ−４）を皮膚に塗布したところオイリー感が低く滑らかさも不十分であった。
【比較例２】
【００３５】
実施例４と同様にして得た樹脂被覆鱗片状無機粒子（Ｂ）３００ｇを純水１２００ｇに加えて混合し、平均粒子径５μｍの球状シリカ（触媒化成工業（株）製：シリカマイクロビードＰ−１５００）２００ｇを純水１０００ｇに加えて混合した。このときの球状シリカと樹脂被覆鱗片状無機粒子（Ａ）の重量比は４０／６０であった。
この分散液を実施例１と同様にして噴霧乾燥し鱗片状複合粒子（Ｂ−２）を得た。この鱗片状複合粒子（Ｂ−２）を皮膚に塗布したところ、さらさらとした滑らかさが感じられたものの、オイリー感はなかった。
【比較例３】
【００３６】
実施例１で使用したマイカに球状シリカ粒子（平均粒子径０．５５μｍ）を付着させて得られた鱗片状無機粒子（触媒化成工業（株）製：ベルベットベール６４０、シリカ粒子／鱗片状無機粒子重量比６０／４０）を用い、これを皮膚に塗布したところ非常にすべりが良く滑らかな感触であったが、オイリー感は感じられず、塗布した後のタッチはすべり性が低減し、オイリー感もなかった。
【実施例６】
【００３７】
実施例１〜実施例５で得られた各鱗片状複合粒子（Ａ−１）、（Ａ−２）、（Ａ−３）、（Ｂ−１）および（Ｃ−１）を使用して下記組成のパウダーファンデーションを調製した。
（１）鱗片状複合粒子                                      ２０．０
（２）タルク（シリコン処理）                              ４３．２
（３）マイカ（シリコン処理）                                ５．０
（４）セリサイト（シリコン処理）                          １５．０
（５）顔料酸化チタン（シリコン処理）                        ５．０
（６）ベンガラ（シリコン処理）                              ０．７
（７）酸化鉄（黄）（シリコン処理）                           １．５
（８）酸化鉄（黒）（シリコン処理）                           ０．４
（９）メチルポリシロキサン                                  ５．０
（１０）トリ２−エチルヘキサン酸グリセリル                  ２．０
（１１）流動パラフィン                                      １．０
（１２）ジイソステアリン酸ポリグリセリル                    １．０
（１３）パラオキシ安息香酸メチル                            ０．２
【００３８】
まず（１）から（８）の混合物を調製する。また（９）から（１３）を７０℃に加熱しながら十分に混合し、これを（１）から（８）の混合物に加えて均一に混合する。ついで、乾燥後粉砕して粒度をそろえた後、圧縮成形した。得られたパウダーファンデーション（Ｐ1）、（Ｐ2）、（Ｐ3）、（Ｐ4）、（Ｐ5）について、皮膚に塗布し感触等の官能評価を行い、結果を表１に示した。
官能評価は、１０人のパネラーを使用し、前腕部に指で塗布する際の感触（オイリー感とすべり性）を比較し、更にその後塗布面を素手で触ったときの感触（オイリー感、すべり性）を比較した。判定は４段階評価（４：優れる、３：やや優れる、２：やや劣る、１：劣る）で行い、平均値を求め四捨五入した数値を表１に表した。
【比較例４】
【００３９】
実施例６の鱗片状複合粒子の代わりに比較例１、２で得られた鱗片状複合粒子（Ａ−４）、（Ｂ−２）を使用した以外は実施例６と同様にしてパウダーファンデーション（ＲＰ1）、（ＲＰ2）を調製した。官能評価の結果を表１に示した。
【比較例５】
【００４０】
実施例６の鱗片状複合粒子の代わりに実施例１，４，５で得られた樹脂被覆鱗片状無機粒子（Ａ）、（Ｂ）、（Ｃ）を配合した以外は、実施例６と同様にしてパウダーファンデーション（ＲＰ3）、（ＲＰ4）、（ＲＰ5）を調製した。官能評価の結果を表１に示した。
【比較例６】
【００４１】
実施例６の鱗片状複合粒子の代わりに実施例１，４，５で使用した鱗片状無機粒子（マイカ、タルク、合成マイカ）を使用して、実施例６と同様にしてパウダーファンデーション（ＲＰ6）、（ＲＰ7）、（ＲＰ8）を調製した。官能評価の結果を表１に示した。
【比較例７】
【００４２】
実施例６の鱗片状複合粒子の代わりに比較例３で得られた球状シリカ粒子を付着させた鱗片状無機粒子を使用して、実施例６と同様にしてパウダーファンデーション（ＲＰ9）を調製した。官能評価の結果を表１に示した。
【００４３】
【表１】
2006052299.tif 000002
【実施例７】
【００４４】
実施例１〜実施例５で得られた鱗片状複合粒子（Ａ−１）、（Ａ−２）、（Ａ−３）、（Ｂ−１）および（Ｃ−１）を使用して下記組成のアイシャドーを調製した。
（１）  鱗片状複合粒子                                      ３０．０
（２）  タルク（シリコン処理）                              １０．０
（３）  マイカ（シリコン処理）                              ３４．５１
（４）  パール顔料（シリコン処理）                          １０．０
（５）  ベンガラ（シリコン処理）                              ０．０８
（６）  酸化鉄（黄）（シリコン処理）                           ０．２
（７）  酸化鉄（黒）（シリコン処理）                           ０．０１
（８）  メチルポリシロキサン                                  ７．５
（９）  イソノナン酸イソトリデシル                            ５．０
（１０）ジイソステアリン酸ポリグリセリル                     ２．５
（１１）パラオキシ安息香酸メチル                             ０．２
【００４５】
まず（１）から（７）の混合物を調製する。また（８）から（１１）を７０℃に加熱しながら十分に混合し、これを（１）から（７）の混合物に加えて均一に混合する。ついで、乾燥後粉砕して粒度をそろえた後、圧縮成形した。得られたアイシャドー（Ｉ1）、（Ｉ2）、（Ｉ3）、（Ｉ4）、（Ｉ5）を皮膚に塗布し、前記パウダーファンデーションと同様に前腕部に指で塗布する際の感触を評価した。評価結果を表２に示す。
【比較例８】
【００４６】
実施例７の鱗片状複合粒子の代わりに比較例１，２で得られた鱗片状複合粒子（Ａ−４）、（Ｂ−２）を使用した以外は実施例７と同様にしてアイシャドー（ＲＩ1）、（ＲＩ2）、を調製した。官能評価の結果を表２に示した。
【００４７】
【表２】
2006052299.tif 000003